(57)【要約】【課題】清掃の労力が著しく軽減されると共に、攪拌手段を必要とせずに生ごみに温風が効率良く作用し、更に強力な脱臭機能を有する脱臭手段を必要としない生ごみ乾燥処理装置を提供する。【解決手段】この生ごみ乾燥処理装置は、密閉された生ごみ収納室３に生ごみ３０が中空に支持され、生ごみ収納室３の空気が流通する循環通路４ａを生ごみ収納室３の上下方向に形成し、循環通路４ａは、生ごみ収納室３の上部に入口を有する流入通路部１２と、生ごみ収納室３の下部に出口を有する流出通路部１３からなり、さらに、循環通路４ａに、放熱フィン２２と冷却フィン２０を有するペルチィエ素子２３を備え、放熱フィン２２は、ペルチィエ素子２３の放熱面に接続された構成であり、この放熱フィン２２を流入通路部１２に配置し、冷却フィン２０は、ペルチィエ素子２３の吸熱面に接続された構成であり、この冷却フィン２０を流出通路部１３に配置した。【選択図】図１
2010162536.tif 000002
【特許請求の範囲】
【請求項１】
密閉された生ごみ収納室に生ごみが中空に支持され、
前記生ごみ収納室の空気が流通する循環通路を前記生ごみ収納室の上下方向に形成し、
前記循環通路は、前記生ごみ収納室の上部に入口を有する流入通路部と、前記生ごみ収納室の下部に出口を有する流出通路部からなり、
さらに、前記循環通路に、放熱フィンと冷却フィンを有するペルチィエ素子を備え、
前記放熱フィンは、前記ペルチィエ素子の放熱面に接続された構成であり、この放熱フィンを前記流入通路部に配置し、
前記冷却フィンは、前記ペルチィエ素子の吸熱面に接続された構成であり、この冷却フィンを前記流出通路部に配置した
ことを特徴とする生ごみ乾燥処理装置。
【請求項２】
前記ペルチィエ素子の前記放熱面と前記放熱フィンとの間には、冷却水を通す通路を形成した導熱体を介在したことを特徴とする請求項１に記載の生ごみ乾燥処理装置。
【請求項３】
前記流出通路部の出口に、送風ファンを設けたことを特徴とする請求項１記載の生ごみ乾燥処理装置。
【発明の詳細な説明】
【技術分野】
【０００１】
この発明は、一般家庭の台所で発生する生ごみを乾燥処理する生ごみ乾燥処理装置に関する。
【背景技術】
【０００２】
生ごみは、非常に多くの水分を含んでいるので、水分を如何に効率よく除去して処理するかが課題となっている。小型で一般家庭用に適した生ごみ乾燥処理装置として、例えば特許文献１及び２が挙げられる。
【０００３】
特許文献１及び２は、いずれもごみ収納容器に直接生ごみを入れるようになっており、吸引口より外部の空気を吸引し、排気口より外部に排気するようになっている。また特許文献１は、ごみ収納容器内の生ごみを攪拌させる攪拌手段を設けると共に、ごみ収納容器の上方に温風噴出口と戻り口を設けて循環空気路を形成している。特許文献２は、ごみ収納容器の内部に網状板を設置し、この網状板上に生ごみを入れるようになっている。
【先行技術文献】
【特許文献】
【０００４】
【特許文献１】特開２００７−２７５７５２号公報
【特許文献２】特開２００８−５５４２１号公報
【発明の概要】
【発明が解決しようとする課題】
【０００５】
上記従来技術は、ごみ収納容器を用いるので、乾燥した生ごみがごみ収納容器に付着し、ごみ収納容器の清掃が大変である。特に特許文献２は網状板が目詰まりし、清掃が一層大変である。また外気を吸引して外部に排気するので、強力な脱臭機能を有する脱臭手段を配設する必要がある。また特許文献１では、ごみ収納容器に温風を上方より供給し、上方より排気するので、攪拌手段が無ければ温風が効率良く生ごみに作用しない。
【０００６】
この発明の課題は、清掃の労力が著しく軽減されると共に、攪拌手段を必要とせずに生ごみに温風が効率良く作用し、更に強力な脱臭機能を有する脱臭手段を必要としない生ごみ乾燥処理装置を提供することにある。
【課題を解決するための手段】
【０００７】
上記課題を解決し、かつ目的を達成するために、この発明は、以下のように構成した。
請求項１に記載の発明は、密閉された生ごみ収納室に生ごみが中空に支持され、
前記生ごみ収納室の空気が流通する循環通路を前記生ごみ収納室の上下方向に形成し、
前記循環通路は、前記生ごみ収納室の上部に入口を有する流入通路部と、前記生ごみ収納室の下部に出口を有する流出通路部からなり、
さらに、前記循環通路に、放熱フィンと冷却フィンを有するペルチィエ素子を備え、
前記放熱フィンは、前記ペルチィエ素子の放熱面に接続された構成であり、この放熱フィンを前記流入通路部に配置し、
前記冷却フィンは、前記ペルチィエ素子の吸熱面に接続された構成であり、この冷却フィンを前記流出通路部に配置した
ことを特徴とする生ごみ乾燥処理装置である。
【０００８】
請求項２に記載の発明は、前記ペルチィエ素子の前記放熱面と前記放熱フィンとの間には、冷却水を通す通路を形成した導熱体を介在したことを特徴とする請求項１に記載の生ごみ乾燥処理装置である。
【０００９】
請求項３に記載の発明は、前記流出通路部の出口に、送風ファンを設けたことを特徴とする請求項１記載の生ごみ乾燥処理装置である。
【発明の効果】
【００１０】
前記構成により、この発明は、以下のような効果を有する。
【００１１】
請求項１に記載の発明では、生ごみ収納室の空気が流通する循環通路を生ごみ収納室の上下方向に形成し、循環通路は、生ごみ収納室の上部に入口を有する流入通路部と、生ごみ収納室の下部に出口を有する流出通路部からなり、さらに、循環通路に、放熱フィンと冷却フィンを有するペルチィエ素子を備え、放熱フィンは、ペルチィエ素子の放熱面に接続された構成であり、流入通路部に配置し、冷却フィンは、ペルチィエ素子の吸熱面に接続された構成であり、流出通路部に配置したので、ペルチィエ素子の発生する熱で放熱フィンを通過する温風の温度が上昇し、生ごみ収納室の生ごみが乾燥し、生ごみの水滴が激減する。
【００１２】
請求項２の発明では、ペルチィエ素子の放熱面と放熱フィンとの間には冷却水を通す通路を形成した導熱体を介在したので、ペルティエ素子の急激な温度上昇が抑制され装置の損傷を防ぐことができる。
【００１３】
請求項３の発明では、流出通路の出口に送風ファンを設けたので、生ごみ収納室の空気を入口から吸い込み強制的に出口から排出でき、温風が効率良く生ごみに作用し、攪拌手段を必要としなく装置の低廉化が図れる。  
【図面の簡単な説明】
【００１４】
【図１】生ごみ乾燥処理装置の一実施形態を示す概略図である。
【図２】図１のＡ−Ａ断面図である。
【図３】生ごみ乾燥処理装置の導熱体を示す概略図である。
【図４】生ごみ乾燥処理装置の導熱体の他の実施形態を示す概略図である。
【発明を実施するための形態】
【００１５】
この発明の生ごみ乾燥処理装置の一実施の形態を図１により説明する。装置枠体１は、隔壁２によって生ごみ収納室３と、この生ごみ収納室３の温風が流通する温風処理室４とが形成されている。なお、図示しないが、この実施の形態においては、装置の前面（図１の前面）には開閉蓋が回動自在に設けられており、開閉蓋を閉じた時は、密閉循環式となっている。勿論、上方が開閉するように上方に蓋を設けてもよいことは言うまでもない。
【００１６】
生ごみ収納室３と温風処理室４を仕切る隔壁２の上下は、入口５と出口６とで連通している。上方の入口５には吸引ファン７が配設され、下方の出口６には送風ファン８が配設されている。この実施の形態においては、吸引ファン７と送風ファン８を設けたが、いずれか一方のみでもよい。しかし、この実施の形態のように、吸引ファン７と送風ファン８を設けると、空気の循環効率がよい。
【００１７】
温風処理室４は、２つの仕切板１０、１１によって流入通路部１２と、流出通路部１３とよりなり循環通路４ａが形成される。仕切板１０は、入口５の下端部分より温風処理室４の横方向に伸び、流入通路部１２を形成するように下方に伸びて装置枠体１の底板に固定されている。なお、仕切板１０の下方部分に流出通路部１３に連通する第１連通孔１０ａが形成されている。また、仕切り板１１は第２連通孔１１ａを有し、この第２連通孔１１ａを介して流出通路１３を上向きから下向きに変えて出口６に通じるように設けられている。
【００１８】
温風処理室４の循環通路４ａには冷却フィン２０と放熱フィン２２を有するペルチィエ素子２３が配置される。このペルチィエ素子２３は仕切板１０に設けた開口に嵌め込まれ、ペルチィエ素子２３の放熱面に接続された放熱フィン２２と、ペルチィエ素子２３の吸熱面に接続された冷却フィン２０とで挟持される。放熱フィン２２は流出通路部１２に沿って配置され、ねじにより仕切板１０に固定する。
【００１９】
冷却フィン２０は流入通路部１２に沿って配置され、ねじにより仕切板１０に固定する。放熱フィン２２の表面積はペルチィエ素子２３の表面積より大きくして放熱をよくする。なお、ペルチィエ素子２３は、温度調整手段（図示せず。）によって温度制御されるようになっており、このペルチィエ素子２３は、小型で騒音・振動が発生しなく、制御が容易で家庭用としては好ましい。
【００２０】
循環通路４ａの流入通路部１２の底部に水受け４１を設け、この水受け４１に流入通路部１２の冷却フィン２０により凝結した水滴を溜めるとか、排水パイプ（図示せず。）を設けて適宜処理してもよい。
【００２１】
ペルティエ素子２３の放熱面と放熱フィン２２と間に銅材よりなる導熱体２４を介在し、この導熱体２４に冷却水を通す通路２５を形成する。通路２５はパイプ２６ａを介してポンプ２６に接続され、このポンプ２６の作動により冷却水が通路２５内を循環して、放熱面の温度上昇を抑制する。ポンプ２６に接続したパイプ２６ａは、装置枠体１に沿って設けることが好ましい。
【００２２】
放熱フィン２２の下方の流出通路部１３には脱臭器２１が配設されている。この脱臭器２１としては、例えば簡易の脱臭フィルタ（粒状活性炭フィルタ、揮発性有機化合物対応型脱臭フィルタ等）を使用する。
【００２３】
生ごみ収納室３の上方部分には、生ごみを収納した水切りごみ袋３０を吊るす生ごみ袋吊り棒３１が横方向に伸びて固定されている。水切りごみ袋３０としては、台所の流し台において使用する排水口用の水切りごみ袋及び三角コーナ用の水切りごみ袋を使用している。なお、生ごみ収納室３の底部には生ごみ袋３０から落ちる水滴を溜める受け皿４０を設置する。
【００２４】
次に作用について説明する。前扉を開いて生ごみを入れた水切りごみ袋３０を生ごみ袋吊り棒３１に吊るし、前扉を閉じる。そして、スイッチをオンにすると、吸引ファン７、送風ファン８が作動すると共に、ペルチィエ素子２３もオンとなる。放熱フィン２２によって加熱された温風は、送風ファン８によって前記生ごみ収納室３に送り込まれる。この温風により、水切りごみ袋３０内の生ごみの水分が蒸発され、この水蒸気を含んだ温風は吸引ファン７によって流入通路部１２に送り込まれる。
【００２５】
流入通路部１２に送り込まれた水蒸気を含んだ温風は、冷却フィン２０によって凝結して水滴となって水受け４１に落下する。また冷却フィン２０を通過した臭気を含んだ温風は、第１連通孔１０ａを通って流出通路部１３に送り込まれ、脱臭器２１で脱臭された後、放熱フィン２２によって加熱されて流出通路部１４より生ごみ収納室３に送り込まれる。
【００２６】
［実施形態２］  
この発明の実施態様２に係る生ごみ乾燥処理装置の導熱体２４について図４を参照して説明する。なお、実施態様１と同一の構成については符号を同じにする。導熱体２４に冷却水の通路２７を形成し、この通路２７に冷却タンク２８に接続され、冷却タンク２８を冷却水が自然対流により循環するようになっている。
【００２７】
このように、この実施の形態においては、生ごみ収納室３の上下方向に循環通路４ａ形成し、この循環通路４ａは生ごみ収納室３の上部に入口５を有する流入通路部１２と、生ごみ収納室３の下部に出口６を有する流出通路部１３からなり、さらに循環通路４ａには放熱フィン２２と冷却フィン２０を有するペルチィエ素子２３を設置し、ペルチィエ素子２３の放熱面に接続された放熱フィン２２を流出通路部１３に、ペルチィエ素子２３の吸熱面に接続された冷却フィン２０を流出通路部１２に配置するので、ペルチィエ素子２３の発生する熱で放熱フィン２２を通過する温風の温度が上昇し、生ごみ収納室の生ごみが乾燥し、生ごみの水滴が激減する。
【００２８】
また、ペルチィエ素子２３の放熱面と放熱フィン２２との間には冷却水を通す通路を形成した導熱体を介在したので、ペルチィエ素子２３の急激な温度上昇が抑制され装置の損傷を防ぐことができる。
【００２９】
さらに、流出通路２５の出口６に送風ファン８を設けたので、生ごみ収納室３の空気を入口５から吸い込み強制的に出口６から排出でき、温風が効率良く生ごみに作用し、攪拌手段を必要としなく装置の低廉化が図れる。  
【００３０】
この実施の形態においては、密閉された収納室に生ごみが中空に支持されるので、殆ど生ごみ収納室３は汚れなく、雫程度で清掃が簡単である。また生ごみ袋３０をそのまま宙吊りにすることにより、下方より上方に流れる温風が生ごみに作用するので、温風が効率良く生ごみに作用し、攪拌手段を必要としなく、装置の低廉化が図れる。また水蒸気を含んだ温風が冷却フィン２０で凝結して水分が除去され、この温風は臭気を脱臭すると共に、密閉循環式とすることにより、脱臭器２１としては、安価な脱臭剤等が使用できる。またごみの回収日に合わせて時間をかけて生ごみを処理すればよく経済的である。また日常使用する水切りごみ袋３０を吊るして保管及び処理できるという利点がある。
【産業上の利用可能性】
【００３１】
この発明は、水分を含む生ごみの乾燥が迅速にでき、しかも装置を小型化して経済的で、環境によい生ごみ乾燥処理装置を提供する。
【符号の説明】
【００３２】
１  装置枠体
２  隔壁
３  生ゴミ収納室
４  温風処理室
４ａ  循環通路
７  吸引ファン
８  送風ファン
１０，１１  仕切板
１２  流入通路部
１３  流出通路部
２０  冷却フィン
２１  脱臭器
２２  放熱フィン
３０  水切りごみ袋
３１  生ごみ袋吊り棒
【図１】
2010162536.tif 000003
【図２】
2010162536.tif 000004
【図３】
2010162536.tif 000005
【図４】
2010162536.tif 000006